(57)【要約】【課題】対象空間内の人の快適性を満足させながら省エネルギーを実現する。【解決手段】制御装置３において、比較部３４は、外気温取得部３３２で取得された外気温情報の外気温と、閾値設定部３２で設定された外気温閾値とを比較する。第１の情報取得部３７１は、アクティブ機器１のオン操作がなされたことを示すオン操作情報を取得する。機器制御部３５は、外気温が外気温閾値よりも快適側の温度範囲である場合、パッシブ制御を行う。外気温が外気温閾値よりも不快側の温度範囲である場合、機器制御部３５は、オン操作がなされるまでパッシブ制御を行い、オン操作がなされるとアクティブ制御を行う。パッシブ制御は、アクティブ機器１に対してオフ制御を行い、パッシブ機器２に対して自然環境利用制御を行う制御である。アクティブ制御は、アクティブ機器１に対してオン制御を行う制御である。【選択図】図１
2014085070.tif 000002
【特許請求の範囲】
【請求項１】
建物内の対象空間の室温を変化させるアクティブ機器およびパッシブ機器を制御する制御装置であって、
前記建物外の外気温を示す外気温情報を取得する外気温取得部と、
外気温閾値を設定する閾値設定部と、
前記外気温取得部で取得された前記外気温情報の前記外気温と前記閾値設定部で設定された前記外気温閾値とを比較する比較部と、
前記比較部の比較結果に応じて、前記アクティブ機器に対してオフ制御を行いかつ前記パッシブ機器に対して外気および外光の少なくとも一方を利用して前記室温を変化させる自然環境利用制御を行う第１の制御と、前記アクティブ機器に対してオン制御を行う第２の制御とのいずれかを選択して行う機器制御部と、
前記アクティブ機器をオンにするためのオン操作がなされたことを示すオン操作情報を取得する操作情報取得部とを備え、
前記機器制御部は、前記外気温が前記外気温閾値よりも快適側の温度範囲である場合、前記第１の制御を行う一方、前記外気温が前記外気温閾値よりも不快側の温度範囲である場合、前記操作情報取得部で前記オン操作情報が取得されるまで前記第１の制御を行い、前記操作情報取得部で前記オン操作情報が取得されると前記第２の制御を行う
ことを特徴とする制御装置。
【請求項２】
前記閾値設定部は、前記建物に関する断熱評価値、採光評価値および通風評価値の少なくとも１つを含む環境評価値に基づいて前記外気温閾値を設定することを特徴とする請求項１記載の制御装置。
【請求項３】
前記閾値設定部は、前記建物の熱損失係数および隙間相当面積の少なくとも一方を用いて前記環境評価値を求め、当該環境評価値に基づいて前記外気温閾値を設定することを特徴とする請求項２記載の制御装置。
【請求項４】
前記閾値設定部は、前記建物における外壁に対する開口部の面積の割合を用いて前記環境評価値を求め、当該環境評価値に基づいて前記外気温閾値を設定することを特徴とする請求項２または３記載の制御装置。
【請求項５】
前記機器制御部は、前記第２の制御を行っているときに、前記外気温が前記外気温閾値よりも快適側の温度範囲になった場合、前記環境評価値に応じて決められた時間遅れで前記第２の制御から前記第１の制御に切り替えることを特徴とする請求項２〜４のいずれか１項に記載の制御装置。
【請求項６】
前記機器制御部は、前記第１の制御を行っているときに、前記オン操作がなされると、前記第１の制御から前記第２の制御に切り替え、当該第２の制御を開始してから予め決められた時間の経過後に前記第１の制御に戻すことを特徴とする請求項１〜５のいずれか１項に記載の制御装置。
【請求項７】
前記閾値設定部は、前記第１の制御を行っているときに、前記オン操作が第１の所定期間内に第１の規定回数以上なされた場合、前記外気温閾値を快適側の温度に再設定することを特徴とする請求項１〜６のいずれか１項に記載の制御装置。
【請求項８】
前記パッシブ機器は、前記建物の開口部に設置された自動窓および外光遮蔽機器であり、
前記機器制御部は、前記第１の制御を行っているときに、前記対象空間に人が存在する場合、前記自動窓および前記外光遮蔽機器に対して開制御を行う一方、前記対象空間に人が存在しない場合、前記自動窓および前記外光遮蔽機器に対して閉制御を行う
ことを特徴とする請求項１〜７のいずれか１項に記載の制御装置。
【請求項９】
前記パッシブ機器は、前記建物の開口部に設置された外光遮蔽機器であり、
前記機器制御部は、冬期において、前記外光遮蔽機器に対して時間帯に応じた開閉制御を行う
ことを特徴とする請求項１〜８のいずれか１項に記載の制御装置。
【請求項１０】
前記機器制御部は、前記第１の制御を行っているときに、前記パッシブ機器が前記第１の制御の制御内容とは異なる動作を第２の所定期間内に第２の規定回数以上行った場合、当該パッシブ機器に対して、当該異なる動作が行われた時間帯に、当該制御内容の制御を停止することを特徴とする請求項１〜９のいずれか１項に記載の制御装置。
【請求項１１】
前記機器制御部は、
前記第１の制御を行っているときに、前記パッシブ機器が前記第１の制御の制御内容とは異なる動作を行った場合、当該異なる動作が行われてから復帰時間の経過後に当該制御内容の動作に復帰させる復帰制御を行い、
前記パッシブ機器が前記異なる動作を第３の所定期間内に第３の規定回数以上行った場合、当該異なる動作が行われた時間帯を含むように前記復帰時間を設定する
ことを特徴とする請求項１〜９のいずれか１項に記載の制御装置。
【請求項１２】
建物内の対象空間の室温を変化させるアクティブ機器およびパッシブ機器をコンピュータが制御するように、当該コンピュータを、
前記建物外の外気温を示す外気温情報を取得する外気温取得部、
外気温閾値を設定する閾値設定部、
前記外気温取得部で取得された前記外気温情報の前記外気温と前記閾値設定部で設定された前記外気温閾値とを比較する比較部、
前記アクティブ機器をオンにするためのオン操作がなされたことを示すオン操作情報を取得する操作情報取得部、および、
前記比較部の比較結果に応じて、前記アクティブ機器に対してオフ制御を行いかつ前記パッシブ機器に対して外気および外光の少なくとも一方を利用して前記室温を変化させる自然環境利用制御を行う第１の制御と、前記アクティブ機器に対してオン制御を行う第２の制御とのいずれかを選択して行う機能を有し、前記外気温が前記外気温閾値よりも快適側の温度範囲である場合、前記第１の制御を行う一方、前記外気温が前記外気温閾値よりも不快側の温度範囲である場合、前記操作情報取得部で前記オン操作情報が取得されるまで前記第１の制御を行い、前記操作情報取得部で前記オン操作情報が取得されると前記第２の制御を行う機器制御部
として機能させるためのプログラム。
【発明の詳細な説明】
【技術分野】
【０００１】
本発明は、建物内の対象空間の室温を変化させるアクティブ機器およびパッシブ機器を制御する制御装置およびプログラムに関する。
【背景技術】
【０００２】
従来から、例えば住戸などの建物内の対象空間の環境を快適にするために対象空間内の空気を冷やしたり暖めたりするアクティブ機器と、外気を対象空間内へ導入するパッシブ機器とを制御する制御装置が知られている（例えば特許文献１参照）。
【０００３】
特許文献１に記載された装置は、外気温が設定値よりも高い場合、圧縮機を制御して冷房運転を行う一方、外気温が設定値よりも低い場合、ダンパおよび送風機を制御して外気を室内に導入する。
【先行技術文献】
【特許文献】
【０００４】
【特許文献１】特開昭５９−１８９２４４号公報
【発明の概要】
【発明が解決しようとする課題】
【０００５】
しかしながら、特許文献１に記載された従来の制御装置は、外気温が設定値よりも高くなると、直ちに冷房運転を行う。すなわち、従来の制御装置は、対象空間内の人が冷房運転を必要としているか否かにかかわらず、冷房運転を行う。このため、従来の制御装置では、必要以上にエネルギーを消費する場合がある。
【０００６】
本発明は上記の点に鑑みて為された発明であり、本発明の目的は、対象空間内の人の快適性を満足させながら省エネルギーを実現することができる制御装置およびプログラムを提供することにある。
【課題を解決するための手段】
【０００７】
本発明の制御装置は、建物内の対象空間の室温を変化させるアクティブ機器およびパッシブ機器を制御する制御装置であって、前記建物外の外気温を示す外気温情報を取得する外気温取得部と、外気温閾値を設定する閾値設定部と、前記外気温取得部で取得された前記外気温情報の前記外気温と前記閾値設定部で設定された前記外気温閾値とを比較する比較部と、前記比較部の比較結果に応じて、前記アクティブ機器に対してオフ制御を行いかつ前記パッシブ機器に対して外気および外光の少なくとも一方を利用して前記室温を変化させる自然環境利用制御を行う第１の制御と、前記アクティブ機器に対してオン制御を行う第２の制御とのいずれかを選択して行う機器制御部と、前記アクティブ機器をオンにするためのオン操作がなされたことを示すオン操作情報を取得する操作情報取得部とを備え、前記機器制御部は、前記外気温が前記外気温閾値よりも快適側の温度範囲である場合、前記第１の制御を行う一方、前記外気温が前記外気温閾値よりも不快側の温度範囲である場合、前記操作情報取得部で前記オン操作情報が取得されるまで前記第１の制御を行い、前記操作情報取得部で前記オン操作情報が取得されると前記第２の制御を行うことを特徴とする。
【０００８】
この制御装置において、前記閾値設定部は、前記建物に関する断熱評価値、採光評価値および通風評価値の少なくとも１つを含む環境評価値に基づいて前記外気温閾値を設定することが好ましい。
【０００９】
この制御装置において、前記閾値設定部は、前記建物の熱損失係数および隙間相当面積の少なくとも一方を用いて前記環境評価値を求め、当該環境評価値に基づいて前記外気温閾値を設定することが好ましい。
【００１０】
この制御装置において、前記閾値設定部は、前記建物における外壁に対する開口部の面積の割合を用いて前記環境評価値を求め、当該環境評価値に基づいて前記外気温閾値を設定することが好ましい。
【００１１】
この制御装置において、前記機器制御部は、前記第２の制御を行っているときに、前記外気温が前記外気温閾値よりも快適側の温度範囲になった場合、前記環境評価値に応じて決められた時間遅れで前記第２の制御から前記第１の制御に切り替えることが好ましい。
【００１２】
この制御装置において、前記機器制御部は、前記第１の制御を行っているときに、前記オン操作がなされると、前記第１の制御から前記第２の制御に切り替え、当該第２の制御を開始してから予め決められた時間の経過後に前記第１の制御に戻すことが好ましい。
【００１３】
この制御装置において、前記閾値設定部は、前記第１の制御を行っているときに、前記オン操作が第１の所定期間内に第１の規定回数以上なされた場合、前記外気温閾値を快適側の温度に再設定することが好ましい。
【００１４】
この制御装置において、前記パッシブ機器は、前記建物の開口部に設置された自動窓および外光遮蔽機器であり、前記機器制御部は、前記第１の制御を行っているときに、前記対象空間に人が存在する場合、前記自動窓および前記外光遮蔽機器に対して開制御を行う一方、前記対象空間に人が存在しない場合、前記自動窓および前記外光遮蔽機器に対して閉制御を行うことが好ましい。
【００１５】
この制御装置において、前記パッシブ機器は、前記建物の開口部に設置された外光遮蔽機器であり、前記機器制御部は、冬期において、前記外光遮蔽機器に対して時間帯に応じた開閉制御を行うことが好ましい。
【００１６】
この制御装置において、前記機器制御部は、前記第１の制御を行っているときに、前記パッシブ機器が前記第１の制御の制御内容とは異なる動作を第２の所定期間内に第２の規定回数以上行った場合、当該パッシブ機器に対して、当該異なる動作が行われた時間帯に、当該制御内容の制御を停止することが好ましい。
【００１７】
この制御装置において、前記機器制御部は、前記第１の制御を行っているときに、前記パッシブ機器が前記第１の制御の制御内容とは異なる動作を行った場合、当該異なる動作が行われてから復帰時間の経過後に当該制御内容の動作に復帰させる復帰制御を行い、前記パッシブ機器が前記異なる動作を第３の所定期間内に第３の規定回数以上行った場合、当該異なる動作が行われた時間帯を含むように前記復帰時間を設定することが好ましい。
【００１８】
本発明のプログラムは、建物内の対象空間の室温を変化させるアクティブ機器およびパッシブ機器をコンピュータが制御するように、当該コンピュータを、前記建物外の外気温を示す外気温情報を取得する外気温取得部、外気温閾値を設定する閾値設定部、前記外気温取得部で取得された前記外気温情報の前記外気温と前記閾値設定部で設定された前記外気温閾値とを比較する比較部、前記アクティブ機器をオンにするためのオン操作がなされたことを示すオン操作情報を取得する操作情報取得部、および、前記比較部の比較結果に応じて、前記アクティブ機器に対してオフ制御を行いかつ前記パッシブ機器に対して外気および外光の少なくとも一方を利用して前記室温を変化させる自然環境利用制御を行う第１の制御と、前記アクティブ機器に対してオン制御を行う第２の制御とのいずれかを選択して行う機能を有し、前記外気温が前記外気温閾値よりも快適側の温度範囲である場合、前記第１の制御を行う一方、前記外気温が前記外気温閾値よりも不快側の温度範囲である場合、前記操作情報取得部で前記オン操作情報が取得されるまで前記第１の制御を行い、前記操作情報取得部で前記オン操作情報が取得されると前記第２の制御を行う機器制御部として機能させるためのプログラムである。
【発明の効果】
【００１９】
本発明では、外気温が外気温閾値よりも不快側の温度範囲であると直ちにアクティブ機器に対してオン制御を行う場合に比べて、エネルギー使用量の無駄（贅沢分）を低減させることができる。その結果、対象空間内の人の快適性を満足させながら省エネルギーを実現することができる。
【図面の簡単な説明】
【００２０】
【図１】実施形態１に係る制御装置の構成を示すブロック図である。
【図２】実施形態１に係る制御装置で行われるアクティブ制御およびパッシブ制御を示す図である。
【図３】実施形態１に係る制御装置で用いられる環境評価値決定表を示す図である。
【図４】実施形態１に係る制御装置で用いられる環境評価値を決定する場合に用いられる図である。
【図５】実施形態１に係る制御装置において夏期の外気温閾値を設定する場合に用いられる図である。
【図６】実施形態１に係る制御装置において冬期の外気温閾値を設定する場合に用いられる図である。
【図７】実施形態１に係る制御装置の動作を示すフローチャートである。
【図８】実施形態１に係る制御装置の動作の説明図である。
【図９】実施形態１の変形例に係る制御装置で行われるアクティブ制御およびパッシブ制御を示す図である。
【図１０】実施形態２に係る制御装置の動作の説明図である。
【図１１】実施形態２に係る制御装置において最上階用の遅れ時間を設定する場合に用いられる項目を示す図である。
【図１２】実施形態２に係る制御装置において最上階以外の階用の遅れ時間を設定する場合に用いられる項目を示す図である。
【図１３】実施形態３に係る制御装置の動作の説明図である。
【図１４】実施形態４に係る制御装置の動作の説明図である。
【図１５】実施形態５に係る制御装置の構成を示すブロック図である。
【図１６】実施形態５に係る制御装置の動作の説明図である。
【図１７】実施形態５に係る制御装置の動作の説明図である。
【図１８】実施形態７に係る制御装置の動作の説明図である。
【発明を実施するための形態】
【００２１】
以下の実施形態１〜７に係る制御装置は、建物内の対象空間の室温を変化させるアクティブ機器およびパッシブ機器を制御する装置である。そして、この制御装置は、外気温が外気温閾値よりも快適側の温度範囲である場合、パッシブ制御（第１の制御）を行う。一方、外気温が外気温閾値よりも不快側の温度範囲である場合、制御装置は、アクティブ機器１をオンにするためのオン操作がなされるまでパッシブ制御を行い、当該オン操作がなされるとアクティブ制御（第２の制御）を行う。
【００２２】
パッシブ制御は、アクティブ機器に対してオフ制御を行い、かつ、パッシブ機器に対して自然環境利用制御を行う制御である。アクティブ制御は、アクティブ機器に対してオン制御を行う制御である。自然環境利用制御は、外気および外光の少なくとも一方を利用して対象空間の室温を変化させる制御である。
【００２３】
外気温が外気温閾値よりも快適側の温度範囲である場合とは、夏期の場合、外気温が外気温閾値未満である場合をいい、冬期の場合、外気温が外気温閾値よりも高い場合をいう。一方、外気温が外気温閾値よりも不快側の温度範囲である場合とは、夏期の場合、外気温が外気温閾値以上である場合をいい、冬期の場合、外気温が外気温閾値以下である場合をいう。
【００２４】
上記より、制御装置は、外気温が外気温閾値よりも快適側の温度範囲である場合、アクティブ機器に対してオフ制御を行い、外気温が不快側の温度範囲である場合、アクティブ機器のオン操作がなされたときだけ、アクティブ機器に対してオン制御を行う。これにより、アクティブ機器のエネルギー消費量を削減することができる。
【００２５】
以下、図面を参照しながら実施形態１〜７について説明する。
【００２６】
（実施形態１）
実施形態１に係る空調システムは、図１に示すように、アクティブ機器１と、パッシブ機器２と、制御装置３とを備えている。
【００２７】
アクティブ機器１は、例えば例えば空気調和機（エアコン）、電気ファンヒータ、電気ストーブなどであり、建物内の対象空間内の空気を冷やしたり、暖めたりすることによって、当該対象空間の室温を変化させる。アクティブ機器１は、例えば空気調和機、電気ファンヒータなど、建物内の対象空間の室温が設定温度になるように当該対象空間内の空気を冷やしたり、暖めたりすることによって、当該室温を変化させる機器であることは好ましい。また、アクティブ機器１は、例えばヒートポンプを利用した空気調和機など、エネルギーを消費して熱を移動させる機能によって、対象空間の室温を変化させる機器であることが好ましい。アクティブ機器１は、制御装置３の制御に従って動作する。また、アクティブ機器１は、ユーザのオン操作およびオフ操作を受け付ける操作部（図示せず）を備えている。オン操作は、アクティブ機器１をオンにするための操作である。オフ操作は、アクティブ機器１をオフにするための操作である。アクティブ機器１は、操作部にされた操作に従って動作する。なお、アクティブ機器１の操作部は、ユーザの操作に応じて信号を送信するリモコン装置と、当該リモコン装置からの信号を受信する信号受信部との組み合わせであってもよい。
【００２８】
パッシブ機器２は、外気および外光の少なくとも一方を利用することによって、対象空間の室温を変化させる室温調整機器である。すなわち、パッシブ機器２は、外気および外光の少なくとも一方による熱の移動を制御することによって、対象空間の室温を変化させる空気循環機器である。パッシブ機器２としては、電動で対象空間内の空気を循環させる機器と、電動で外気を対象空間内に取り込んだり遮断したりする外気用機器と、電動で外光を対象空間内に取り込んだり遮断したりする外光用機器とがある。空気循環機器としては、例えばシーリングファンなどがある。外気用機器としては、例えば自動窓（パワーウインドウ）などがある。自動窓は、建物の窓（開口部）に設置されており、電気的に開閉可能な機器である。この自動窓は、人が出入りできる程度の大きさの大窓と、人が出入りできない程度の大きさの小窓とに区別することができる。外光用機器としては、例えば外光遮蔽機器などがある。外光遮蔽機器は、建物の窓（開口部）に設置されている。この外光遮蔽機器は、例えばシャッタ、ブラインド、カーテンなど、電動で開閉し、閉めている状態において、建物の開口部から外光が対象空間内に入るのを遮蔽することができる機器である。パッシブ機器２は、制御装置３の制御に従って動作する。また、パッシブ機器２は、パッシブ機器２へのユーザの操作を受け付ける操作部（図示せず）を備えている。パッシブ機器２は、操作部にされた操作に従って動作する。なお、パッシブ機器２の操作部は、ユーザの操作に応じて信号を送信するリモコン装置と、当該リモコン装置からの信号を受信する信号受信部との組み合わせであってもよい。
【００２９】
制御装置３は、アクティブ機器１およびパッシブ機器２を制御する装置である。この制御装置３は、評価値入力部３１１と、評価値取得部３１２と、閾値設定部３２と、外気温入力部３３１と、外気温取得部３３２と、比較部３４と、機器制御部３５とを備えている。また、制御装置３は、第１の機器インタフェース部（以下「第１の機器Ｉ／Ｆ部」という）３６１と、第２の機器インタフェース部（以下「第２の機器Ｉ／Ｆ部」という）３６２と、第１の情報取得部（操作情報取得部）３７１と、第２の情報取得部３７２とを備えている。さらに、制御装置３は、記憶部３８を備えている。制御装置３は、例えばＣＰＵ（Central Processing Unit：中央処理装置）およびメモリが搭載されたコンピュータ（マイクロコンピュータを含む）を主構成要素とし、記憶部３８に格納されているプログラムに従って動作する。
【００３０】
第１の機器Ｉ／Ｆ部３６１は、アクティブ機器１が接続されており、有線によってアクティブ機器１と通信する。すなわち、第１の機器Ｉ／Ｆ部３６１は、アクティブ機器１と情報の授受を行う。なお、第１の機器Ｉ／Ｆ部３６１は、無線によってアクティブ機器１と通信するように構成されていてもよい。
【００３１】
第２の機器Ｉ／Ｆ部３６２は、パッシブ機器２が接続されており、有線によってパッシブ機器２と通信する。すなわち、第２の機器Ｉ／Ｆ部３６２は、パッシブ機器２と情報の授受を行う。なお、第２の機器Ｉ／Ｆ部３６２は、無線によってパッシブ機器２と通信するように構成されていてもよい。
【００３２】
第１の情報取得部３７１は、アクティブ機器１の操作履歴をアクティブ機器１から取得する。操作履歴としては、オン操作情報とオフ操作情報とが含まれている。オン操作情報は、アクティブ機器１をオンにするためのオン操作がなされたことを示す情報である。オフ操作情報は、アクティブ機器１をオフにするためのオフ操作がなされたことを示す情報である。
【００３３】
第２の情報取得部３７２は、パッシブ機器２の操作履歴をパッシブ機器２から取得する。操作履歴としては、オン操作情報とオフ操作情報とが含まれている。オン操作情報は、パッシブ機器２をオンにするためのオン操作がなされたことを示す情報である。オフ操作情報は、パッシブ機器２をオフにするためのオフ操作がなされたことを示す情報である。
【００３４】
評価値入力部３１１は、環境評価値の入力を受け付ける。この評価値入力部３１１は、例えば環境評価値の入力操作を受け付ける操作部である。評価値取得部３１２は、評価値入力部３１１に入力された環境評価値を取得する。閾値設定部３２は、環境評価値に基づいて外気温閾値を設定する。
【００３５】
外気温入力部３３１は、外気温情報の入力を受け付ける。この外気温入力部３３１は、外部装置４と通信する通信インタフェース部である。外部装置４は、例えば気象庁に設置されており、外気温情報を格納している。これにより、外気温入力部３３１は、外部装置４から外気温情報を受信する。外気温情報は、外気温を示す情報である。外気温取得部３３２は、外気温入力部３３１に入力された外気温情報を取得する。
【００３６】
比較部３４は、外気温取得部３３２で取得された外気温情報が外気温取得部３３２から入力され、閾値設定部３２で設定された外気温閾値が閾値設定部３２から入力される。そして、比較部３４は、当該外気温情報の外気温と当該外気温閾値とを比較する。
【００３７】
機器制御部３５は、比較部３４の比較結果に応じて、アクティブ機器１およびパッシブ機器２に対して、パッシブ制御（第１の制御）とアクティブ制御（第２の制御）とのいずれかを選択して行う。
【００３８】
機器制御部３５は、外気温が外気温閾値よりも快適側の温度範囲である場合、パッシブ制御を行う。一方、外気温が外気温閾値よりも不快側の温度範囲である場合、機器制御部３５は、第１の情報取得部３７１でオン操作情報が取得されるまでパッシブ制御を行う。この時点では、機器制御部３５は、まだアクティブ制御を行っておらず、第１の情報取得部３７１でオン操作情報が取得された場合、アクティブ制御を行う。なお、制御開始時は、外気温にかかわらず、機器制御部３５はパッシブ制御を行う。
【００３９】
外気温が外気温閾値よりも快適側の温度範囲である場合とは、夏期の場合、外気温が外気温閾値未満である場合をいい、冬期の場合、外気温が外気温閾値よりも高い場合をいう。一方、外気温が外気温閾値よりも不快側の温度範囲である場合とは、夏期の場合、外気温が外気温閾値以上である場合をいい、冬期の場合、外気温が外気温閾値以下である場合をいう。
【００４０】
したがって、夏期の場合、機器制御部３５は、外気温が外気温閾値未満であるとパッシブ制御を行い、外気温が外気温閾値以上であるとアクティブ制御を許可する。一方、冬期の場合、外気温が外気温閾値より高いと、機器制御部３５はパッシブ制御を行い、外気温が外気温閾値以下であると、機器制御部３５はアクティブ制御を許可する。
【００４１】
パッシブ制御は、アクティブ機器１に対してオフ制御を行い、かつ、パッシブ機器２に対して自然環境利用制御を行う制御である。アクティブ制御は、アクティブ機器１に対してオン制御を行う制御である。自然環境利用制御は、外気および外光の少なくとも一方を利用して対象空間の室温を変化させる制御である。自然環境利用制御の制御内容は、予め設定されていてもよいし、ユーザの入力内容に基づいて制御内容設定部（図示せず）によって設定されてもよい。
【００４２】
アクティブ制御およびパッシブ制御の一例を図２に示している。図２は、アクティブ制御およびパッシブ制御を夏期（６月〜９月）の場合と冬期（１２月〜３月）の場合とに区別して示している。
【００４３】
図２の例では、夏期の外気温閾値は２７℃に設定されている。夏期の場合、外気温が２７℃以上であると、機器制御部３５は、夏期のアクティブ制御として、アクティブ機器１に対するオン制御と、パッシブ機器２に対する自然環境利用制御の停止とを行う。すなわち、機器制御部３５は、アクティブ機器１をオンにする制御と、パッシブ機器２としてのシーリングファンをオフにする制御と、パッシブ機器２としての自動窓を閉める制御と、パッシブ機器２としての外光遮蔽機器を閉じる制御とを行う。一方、外気温が２７℃未満であると、機器制御部３５は、夏期のパッシブ制御として、アクティブ機器１に対するオフ制御と、パッシブ機器２に対する自然環境利用制御とを行う。すなわち、機器制御部３５は、アクティブ機器１をオフにする制御と、パッシブ機器２としてのシーリングファンをオンにする制御と、パッシブ機器２としての自動窓を開ける制御と、パッシブ機器２としての外光遮蔽機器を開ける制御とを行う。
【００４４】
また、図２の例では、冬期の外気温閾値は８℃に設定されている。冬期の場合、外気温が８℃以下であると、機器制御部３５は、冬期のアクティブ制御として、アクティブ機器１に対するオン制御と、パッシブ機器２に対する自然環境利用制御の停止とを行う。すなわち、機器制御部３５は、アクティブ機器１をオンにする制御と、パッシブ機器２としてのシーリングファンをオフにする制御と、パッシブ機器２としての自動窓を閉める制御と、パッシブ機器２としての外光遮蔽機器を開ける制御とを行う。一方、外気温が８℃より高いと、機器制御部３５は、冬期のパッシブ制御として、アクティブ機器１に対するオフ制御と、パッシブ機器２に対する自然環境利用制御とを行う。すなわち、機器制御部３５は、アクティブ機器１をオフにする制御と、パッシブ機器２としてのシーリングファンをオフにする制御と、パッシブ機器２としての自動窓を閉める制御と、パッシブ機器２としての外光遮蔽機器を開ける制御とを行う。
【００４５】
ところで、同じ外気温であっても対象住宅（建物）の立地点や性能などによって、対象空間の室温は異なり、外気・外光利用の効果にも違いが出てくる。したがって、外気温閾値は、対象住宅の環境評価値を考慮して設定されるべきである。
【００４６】
そこで、図１に示す閾値設定部３２は、環境評価値に基づいて外気温閾値を設定する。環境評価値は、建物に関する断熱評価値、採光評価値および通風評価値の少なくとも１つを含んでいる。本実施形態の閾値設定部３２は、夏期の場合、断熱評価値と通風評価値とを環境評価値とする。冬期の場合、閾値設定部３２は、断熱評価値と採光評価値とを環境評価値とする。なお、環境評価値は、上記の場合に限らず、断熱評価値、採光評価値および通風評価値の全てであってもよい。また、環境評価値は、断熱評価値、採光評価値および通風評価値のいずれか２つであってもよい。さらに、環境評価値は、断熱評価値、採光評価値および通風評価値のいずれか１つであってもよい。
【００４７】
環境評価値は、図３に示すような環境評価値決定表を用いて決定される。図３では、住宅に関する項目と、各部屋に関する項目とに区別されている。
【００４８】
住宅に関する項目としては、Ｑ値、Ｃ値、隣家との距離（四方合計）、全床面積に対するオープンスペースの割合、主な立地方角、立地点の緯度などがある。また、住宅に関する項目としては、さらに、住宅内のパッシブ機器２としてのシーリングファンの換気回数、当該シーリングファンの位置がある。住宅に関する項目としては、さらに、住宅内のパッシブ機器２としての自動窓（開口部）の外壁に対する面積割合、当該自動窓における南向きの自動窓の割合、当該自動窓の位置関係がある。住宅に関する項目としては、さらに、住宅内のパッシブ機器２としての外光遮蔽機器の外壁に対する面積割合、当該外光遮蔽機器の素材の熱伝導率などがある。
【００４９】
各部屋に関する項目としては、当該部屋が接する方位、当該部屋の階などがある。また、各部屋に関する項目としては、さらに、部屋内のパッシブ機器２としての自動窓（開口部）の外壁に対する面積割合、当該自動窓における南向きの自動窓の割合、当該自動窓の位置関係がある。各部屋に関する項目としては、さらに、部屋内のパッシブ機器２としての外光遮蔽機器の外壁に対する面積割合、当該外光遮蔽機器の素材の熱伝導率などがある。
【００５０】
断熱評価値に関連する項目は、住宅に関する項目の中では、Ｑ値、Ｃ値、住宅内の自動窓（開口部）の外壁に対する面積割合、住宅内の外光遮蔽機器の外壁に対する面積割合、当該外光遮蔽機器の素材の熱伝導率である。また、断熱評価値に関連する項目は、各部屋に関する項目の中では、当該部屋の接する方位、当該部屋の階、当該部屋内の自動窓（開口部）の外壁に対する面積割合、当該部屋内の外光遮蔽機器の外壁に対する面積割合、当該外光遮蔽機器の素材の熱伝導率である。
【００５１】
採光評価値に関連する項目は、住宅に関する項目の中では、隣家との距離、主な立地方角、立地点の緯度、住宅内の外光遮蔽機器の外壁に対する面積割合、当該外光遮蔽機器の南向きの窓の割合である。また、採光評価値に関連する項目は、各部屋に関する項目の中では、部屋内の外光遮蔽機器の外壁に対する面積割合、当該外光遮蔽機器の南向きの窓の割合である。
【００５２】
通風評価値に関連する項目は、住宅に関する項目の中では、隣家との距離、全床面積に対するオープンスペースの割合、住宅内のシーリングファンの換気回数、当該シーリングファンの位置、住宅内の自動窓（開口部）の外壁に対する面積割合、当該自動窓の位置関係である。また、通風評価値に関連する項目は、各部屋に関する項目の中では、部屋内の自動窓（開口部）の外壁に対する面積割合、当該自動窓の位置関係である。
【００５３】
図３に示す住宅に関する項目および各部屋に関する項目は、それぞれ、図４に示すように、断熱評価値、採光評価値、通風評価値の少なくともいずれかに対して点数化されている。図４は、当該項目の一部を示しているが、全ての項目が点数化されている。例えばＱ値において、Ｑ値が１．９未満である場合、断熱評価値は＋５である。Ｑ値が２．７以上である場合、断熱評価値は０である。また、隣家との距離において、当該距離が５０ｍである場合、採光評価値は＋２であり、通風評価値は＋３である。断熱評価値、採光評価値および通風評価値は、図４に示す点数の総和として求められる。
【００５４】
夏期の場合、図５に示すように、外気温閾値は、環境評価値としての断熱評価値および通風評価値から設定される。例えば断熱評価値が２８であり、通風評価値が２０である場合、外気温閾値は２７℃に設定される。断熱評価値が４０であり、通風評価値が８である場合、外気温閾値は２５℃に設定される。
【００５５】
冬期の場合、図６に示すように、外気温閾値は、環境評価値としての断熱評価値および採光評価値から設定される。例えば断熱評価値が４２であり、採光評価値が１８である場合、外気温閾値は８℃に設定される。断熱評価値が２０であり、採光評価値が１０である場合、外気温閾値が１０℃に設定される。
【００５６】
ところで、図１に示す閾値設定部３２は、図３，４を用いて環境評価値を求めてもよい。この際、閾値設定部３２は、建物の熱損失係数（Ｑ値）および隙間相当面積（Ｃ値）の少なくとも一方を用いて環境評価値を求める。また、閾値設定部３２は、建物における外壁に対する開口部の面積の割合を用いて環境評価値を求める。
【００５７】
そして、閾値設定部３２は、求めた環境評価値に基づいて外気温閾値を設定する。本実施形態の閾値設定部３２は、環境評価値として求めた断熱評価値、採光評価値および通風評価値を用いて、図５，６に示すように、外気温閾値を設定する。夏期の場合、閾値設定部３２は、図５に示すように、環境評価値として断熱評価値と通風評価値とを用いて、外気温閾値を設定する。冬期の場合、閾値設定部３２は、図６に示すように、環境評価値として断熱評価値と採光評価値とを用いて、外気温閾値を設定する。
【００５８】
なお、閾値設定部３２は、上述の場合、断熱評価値と通風評価値とから夏期の外気温閾値を設定し、断熱評価値と採光評価値とから冬期の外気温閾値を設定しているが、必ずしも２種類の環境評価値で外気温閾値を設定する必要はなく、１種類の環境設定値で設定してもよい。
【００５９】
なお、図１に示す記憶部３８は、制御装置３（コンピュータ）が各種の機能を実行するためのプログラムを格納している。すなわち、記憶部３８は、制御装置３を評価値取得部３１２、閾値設定部３２、外気温取得部３３２、比較部３４、機器制御部３５、第１の情報取得部３７１および第２の情報取得部３７２として機能させるためのプログラムを格納している。また、当該プログラムは、制御装置３を、評価値入力部３１１、外気温入力部３３１、第１の機器Ｉ／Ｆ部３６１、第２の機器Ｉ／Ｆ部３６２および記憶部３８を制御する制御手段として機能させるためのプログラムでもある。当該プログラムは、制御装置３の出荷時に記憶部３８に予め格納されている。ただし、制御装置３が当該プログラムを出荷後に取得する場合、制御装置３が当該プログラムを取得する手法の一例としては、当該プログラムを記録したコンピュータ読み取り可能な記録媒体を用いる手法がある。記録媒体を用いる手法の場合、制御装置３は、記録媒体のデータを読み取るための読取装置（図示せず）を備えていればよい。記録媒体としては、例えば光ディスクやメモリカードなどがある。読取装置としては、光ディスクの情報を読み出すドライブ装置や、メモリカードの情報を読み出すメモリカードリーダなどがある。また、制御装置３が当該プログラムを取得する他の手法としては、ネットワークを用いて当該プログラムを他の装置からダウンロードする手法がある。当該プログラムをダウンロードする手法の場合、制御装置３は、ネットワークを用いて他の装置と通信するための通信機能を有していればよい。
【００６０】
次に、本実施形態に係る制御装置３の動作について図７を用いて説明する。ここでは、夏期の場合について説明する。パッシブ機器２の自然環境利用制御の制御内容は、予め設定されている。まず、ユーザが環境評価値を制御装置３に入力する（Ｓ１）。すなわち、評価値入力部３１１が環境評価値の入力を受け付ける。評価値取得部３１２は、環境評価値を取得する。その後、閾値設定部３２は、環境評価値を用いて外気温閾値を設定する（Ｓ２）。その後、機器制御部３５は、初期制御として、アクティブ機器１およびパッシブ機器２に対してパッシブ制御を行う（Ｓ３）。
【００６１】
その後、外気温入力部３３１が外部装置４から外気温情報を受信する。外気温取得部３３２が外気温情報を取得する（Ｓ４）。その後、比較部３４が外気温と外気温閾値とを比較する（Ｓ５）。外気温が外気温閾値未満である場合（Ｓ５のＮｏ）、ステップＳ４に戻り、機器制御部３５は、パッシブ制御を継続して行う。
【００６２】
一方、外気温が外気温閾値以上である場合（Ｓ５のＹｅｓ）、機器制御部３５は、アクティブ制御を許可する。外気温が外気温閾値以上であるときに、アクティブ機器１のオン制御の操作があった場合（Ｓ６のＹｅｓ）、機器制御部３５は、パッシブ制御からアクティブ制御に切り替える（Ｓ７）。その後、外気温入力部３３１が外部装置４から外気温情報を受信し、外気温取得部３３２が外気温情報を取得する（Ｓ８）。その後、外気温が外気温閾値よりも低い場合（Ｓ９のＹｅｓ）、ステップＳ３に戻り、機器制御部３５は、アクティブ制御からパッシブ制御に切り替える。
【００６３】
本実施形態の制御装置３の動作の一例について図８を用いて説明する。外気温閾値は２７℃である。まず、制御開始から時刻ｔ１になるまでの外気温が外気温閾値（２７℃）未満である時間帯において、制御装置３はパッシブ制御を行う。その後、時刻ｔ１〜時刻ｔ２の間、外気温が外気温閾値以上になると、制御装置３はアクティブ制御を許可するが、アクティブ機器１のオン操作がなされなかったため、制御装置３はパッシブ制御を継続して行う。その後、再び、外気温が外気温閾値以上になると（時刻ｔ３）、制御装置３はアクティブ制御を許可する。その後、アクティブ機器１のオン操作がなされると（時刻ｔ４）、制御装置３はパッシブ制御を停止し、アクティブ制御を開始する。その後、外気温が外気温閾値未満になると（時刻ｔ５）、制御装置３はアクティブ制御を停止し、パッシブ制御を開始する。その後、再び、外気温が外気温閾値以上になると（時刻ｔ６）、制御装置３はアクティブ制御を許可する。その後、アクティブ機器１のオン操作がなされると（時刻ｔ７）、制御装置３は、パッシブ制御を停止し、アクティブ制御を開始する。その後、外気温が外気温閾値未満になると（時刻ｔ８）、制御装置３はアクティブ制御を停止し、パッシブ制御を開始する。その後、制御装置３は、時刻ｔ９〜ｔ１１において、時刻ｔ３〜ｔ５の動作を繰り返す。
【００６４】
なお、冬期の場合については、まず、制御装置３はパッシブ制御を行う。その後、外気温が外気温閾値以下になると、制御装置３はアクティブ制御を許可する。その後、アクティブ機器１のオン操作がなされると、制御装置３はアクティブ制御を行う。
【００６５】
以上説明した本実施形態の制御装置３は、外気温が外気温閾値よりも不快側の温度範囲である場合に、アクティブ機器１をオンにするためのオン操作がなされると、アクティブ機器１に対してオン制御を行う。これにより、本実施形態の制御装置３では、外気温が外気温閾値よりも不快側の温度範囲になると直ちにアクティブ機器に対してオン制御を行う場合に比べて、エネルギー使用量の無駄（贅沢分）を低減させることができる。その結果、対象空間内の人の快適性を満足させながら省エネルギーを実現することができる。
【００６６】
また、本実施形態の制御装置３は、建物に関する断熱評価値、採光評価値および通風評価値の少なくとも１つを含む環境評価値に基づいて外気温閾値を設定する。これにより、本実施形態の制御装置３では、建物の性能の違いを反映させて外気温閾値を設定することができるので、対象空間内の人の快適性と省エネルギーとをさらに向上させることができる。
【００６７】
さらに、本実施形態の制御装置３では、建物内の対象空間の環境への影響度が高いと考えられる熱損失係数および隙間相当面積の少なくとも一方を考慮することによって、より正確に環境評価値を求めることができる。
【００６８】
また、本実施形態の制御装置３では、建物内の対象空間の環境への影響度が高いと考えられる外壁に対する開口部の面積の割合を考慮することによって、より正確に環境評価値を求めることができる。
【００６９】
なお、パッシブ機器２に対する自然環境利用制御の制御内容は、対象空間内の人の有無によって異なってもよい。対象空間に人が存在する場合、機器制御部３５は、夏期の自然環境利用制御として、図２に示すように、大窓および外光遮蔽機器を開ける制御を行う。一方、対象空間に人が不在である場合、機器制御部３５は、夏期の自然環境利用制御として、図９に示すように、大窓および外光遮蔽機器を閉める制御を行う。すなわち、大窓および外光遮蔽機器の制御内容は、対象空間に人が存在する場合ではアクティブ制御とパッシブ制御とで異なるが（図２参照）、対象空間に人が存在しない場合ではアクティブ制御とパッシブ制御とで同じである（図９参照）。なお、対象空間に存在する人は、例えば人感センサなどの人検出装置で検出される。制御装置３は、対象空間に人が存在することを示す検出情報を当該人検出装置から取得することで、対象空間内の人の有無を判断する。
【００７０】
また、パッシブ機器２としての外光遮蔽機器に対する自然環境利用制御の制御内容は、時刻によって異なってもよい。例えば、冬期の場合、日中、機器制御部３５は、図２に示すように、外光遮蔽機器を開ける制御を行う。一方、夜間、機器制御部３５は、図９に示すように、外光遮蔽機器を閉める制御を行う。
【００７１】
（実施形態２）
実施形態２に係る制御装置３は、アクティブ制御を行っているときに外気温が外気温閾値よりも快適側の温度範囲になった場合、所定の時間遅れでアクティブ制御からパッシブ制御に切り替える点で、実施形態１に係る制御装置３と相違する。なお、実施形態１の制御装置３と同様の構成要素については、同一の符号を付して説明を省略する。
【００７２】
本実施形態の機器制御部３５は、アクティブ制御を行っているときに、外気温が外気温閾値よりも快適側の温度範囲になった場合、環境評価値に応じて決められた時間遅れでアクティブ制御からパッシブ制御に切り替える。すなわち、この場合、機器制御部３５は、壁・屋根面の熱伝達の時間遅れを考慮し、その瞬間にアクティブ機器１に対してオフ制御を行うのではなく、予め決められた遅れ時間Ｔ１の経過後にオフ制御を行う。なお、実施形態１の機器制御部３５と同様の機能については説明を省略する。
【００７３】
図１０は夏期の場合の動作を示している。外気温閾値は２７℃である。外気温が２７℃以上になると（時刻ｔ２１）、機器制御部３５は、アクティブ制御を許可する。その後、時刻ｔ２２にオン操作がなされると、機器制御部３５は、パッシブ制御からアクティブ制御に切り替える。その後、外気温が２７℃未満になった場合（時刻ｔ２３）、機器制御部３５は、時刻ｔ２３から遅れ時間Ｔ１が経過した後の時刻ｔ２４に、アクティブ制御からパッシブ制御に切り替える。
【００７４】
ところで、本実施形態の制御装置３は、時間設定部（図示せず）を備えている。この時間設定部は、Ｑ値とＣ値と階数とを用いて遅れ時間Ｔ１を設定する。遅れ時間Ｔ１は、例えば壁・屋根面の熱伝達の時間遅れを考慮して設定される値であり、最上階の場合と最上階以外の階の場合とで異なってくる。すなわち、本実施形態の空調システムが例えば集合住宅の住戸に用いられる場合に、当該住戸の階によって、遅れ時間Ｔ１が異なってくる。なお、本実施形態の空調システムが例えばビルの特定の階の事務所に用いられる場合も同様である。
【００７５】
図１１は、最上階用の遅れ時間Ｔ１の対応表を示している。図１２は、最上階以外の階用の遅れ時間Ｔ１の対応表を示している。例えば最上階において、Ｑ値が３．２であり、Ｃ値が３である場合、遅れ時間Ｔ１は３０分である。また、Ｑ値が２．０であり、Ｃ値が１である場合、遅れ時間Ｔ１は９０分である。最上階以外の階において、Ｑ値が３．２であり、Ｃ値が３である場合、遅れ時間Ｔ１は１５分である。また、Ｑ値が２．０であり、Ｃ値が１である場合、遅れ時間Ｔ１は６０分である。
【００７６】
以上説明した本実施形態の制御装置３は、アクティブ制御を行っているときに、外気温が外気温閾値よりも快適側の温度範囲になった場合、環境評価値に応じて決められた遅れ時間Ｔ１の経過後にアクティブ制御からパッシブ制御に切り替える。これにより、本実施形態の制御装置３では、例えば壁・屋根面の熱伝達の時間遅れを考慮してアクティブ制御からパッシブ制御に切り替えることができる。その結果、アクティブ機器１およびパッシブ機器２に対して、対象空間内の人の快適性をより損なわない制御を行うことができる。
【００７７】
（実施形態３）
実施形態３に係る制御装置３は、外気温が外気温閾値よりも快適側の温度範囲であるときにユーザの要望があれば、一時的にアクティブ機器１を行う点で、実施形態１に係る制御装置３と相違する。なお、実施形態１の制御装置３と同様の構成要素については、同一の符号を付して説明を省略する。
【００７８】
本実施形態の機器制御部３５は、パッシブ制御を行っているときに、アクティブ機器１のオン操作がなされると、パッシブ制御からアクティブ制御に切り替え、当該アクティブ制御を開始してから予め決められた時間が経過するとパッシブ制御に戻す。すなわち、機器制御部３５は、パッシブ制御を行っているときに、第１の情報取得部３７１でオン操作情報が取得されると、パッシブ制御からアクティブ制御に切り替え、その後、パッシブ制御に戻す。なお、実施形態１の機器制御部３５と同様の機能については説明を省略する。
【００７９】
本実施形態の制御装置３の動作の一例について図１３を用いて説明する。外気温閾値は２７℃である。まず、制御開始から時刻ｔ４１になるまでの外気温が外気温閾値（２７℃）未満である時間帯において、制御装置３はパッシブ制御を行う。その後、時刻ｔ４１〜時刻ｔ４２の間、外気温が外気温閾値よりも高くなり、制御装置３はアクティブ制御を許可するが、アクティブ機器１のオン操作がなされなかったため、制御装置３はパッシブ制御を継続して行う。その後、再び、外気温が外気温閾値よりも高くなると（時刻ｔ４３）、制御装置３はアクティブ制御を許可する。その後、アクティブ機器１のオン制御の操作がなされると（時刻ｔ４４）、制御装置３はパッシブ制御を停止し、アクティブ制御を開始する。その後、外気温が外気温閾値未満になると（時刻ｔ４５）、制御装置３はアクティブ制御を停止し、パッシブ制御を開始する。その後、再び、外気温が外気温閾値よりも高くなると（時刻ｔ４６）、制御装置３は再度アクティブ制御を許可する。その後、アクティブ機器１のオン動作の操作がなされると（時刻ｔ４７）、制御装置３は、パッシブ制御を停止し、アクティブ制御を開始する。その後、外気温が外気温閾値未満になると（時刻ｔ４８）、制御装置３はアクティブ制御を停止し、パッシブ制御を開始する。
【００８０】
その後、パッシブ制御を行っているときにアクティブ機器１のオン操作がなされると（時刻ｔ４９）、制御装置３は、直ちにパッシブ制御からアクティブ制御に切り替える。その後、制御装置３は、時刻ｔ４９から時間Ｔ２が経過するまでアクティブ制御を行い、時刻ｔ５０に自動的にアクティブ制御からパッシブ制御に切り替える。その後、制御装置３は、時刻ｔ５１〜ｔ５３において、時刻ｔ４３〜ｔ４５の動作を繰り返す。
【００８１】
以上説明した本実施形態の制御装置３は、アクティブ機器１に対してオフ制御を行っているときに、アクティブ機器１のオン操作がなされると、予め決められた時間、第２の制御すなわちアクティブ機器に対してオン制御を行う。これにより、本実施形態の制御装置３では、ユーザの意思を反映しつつ、省エネルギーを実現することができる。
【００８２】
（実施形態４）
実施形態４に係る制御装置３は、アクティブ機器１へのユーザのオン操作に応じて外気温閾値を再設定する点で、実施形態１に係る制御装置３と相違する。なお、実施形態１の制御装置３と同様の構成要素については、同一の符号を付して説明を省略する。
【００８３】
本実施形態の閾値設定部３２は、機器制御部３５がパッシブ制御を行っているときに、アクティブ機器１のオン操作が第１の所定期間内に第１の規定回数以上なされた場合、外気温閾値を快適側の温度に再設定する。なお、実施形態１の閾値設定部３２と同様の機能については説明を省略する。
【００８４】
次に、本実施形態の制御装置３動作の一例について図１４を用いて説明する。まず、夏期において、機器制御部３５は、外気温閾値が例えば２７℃に設定されている状態でパッシブ制御を開始する。機器制御部３５がパッシブ制御を行っている最中に、アクティブ機器１のオン動作が第１の所定期間内に第１の規定回数以上発生した場合、閾値設定部３２は、夏期の外気温閾値を２６℃に再設定する。例えば、図１４に示すように、ユーザの操作履歴として、外気温が２６℃であるときのオン操作と、外気温が２５℃であるときのオン操作と、外気温が２６℃であるときのオン操作とがあったとする。この場合、閾値設定部３２は、外気温閾値を現在よりも１℃低い２６℃に再設定する。その後、機器制御部３５は、外気温が再設定された外気温閾値（２６℃）になると、アクティブ制御を開始する。
【００８５】
続いて、冬期において、機器制御部３５は、外気温閾値が例えば８℃に設定されている状態でパッシブ制御を開始する。機器制御部３５がパッシブ制御を行っている最中に、アクティブ機器１のオン動作が第１の所定期間内に第１の規定回数以上発生した場合、閾値設定部３２は、冬期の外気温閾値を９℃に再設定する。例えば、図１４に示すように、ユーザの操作履歴として、ユーザの操作履歴として、外気温が１２℃であるときのオン操作と、外気温が１１℃であるときのオン操作と、外気温が１３℃であるときのオン操作とがあったとする。この場合、閾値設定部３２は、外気温閾値を現在よりも１℃高い９℃に再設定する。その後、機器制御部３５は、外気温が再設定された外気温閾値（９℃）になると、アクティブ制御を開始する。
【００８６】
なお、外気温閾値が再設定された後に、機器制御部３５がパッシブ制御を行っている最中に、アクティブ機器１のオン操作が第１の所定期間内に第１の規定回数以上発生した場合、閾値設定部３２は、上記の動作と同様に、外気温閾値を１℃変化させて再設定する。
【００８７】
以上説明した本実施形態の制御装置３は、アクティブ機器１のオン操作に応じて外気温閾値を再設定する。これにより、本実施形態の制御装置３では、省エネルギー性を大きく損なうことなく、ユーザの好みを満足させることができる。
【００８８】
（実施形態５）
実施形態５に係る制御装置３は、夏期のパッシブ制御において、パッシブ機器２としての自動窓（ここでは大窓のみが対象）および外光遮蔽機器の開閉制御を、人感センサの検出信号によって判断する点で、実施形態１に係る制御装置３と相違する。なお、実施形態１の制御装置３と同様の構成要素については、同一の符号を付して説明を省略する。
【００８９】
本実施形態の制御装置３は、図１５に示すように、検出情報取得部３９を備えている。検出情報取得部３９は、対象空間に人が存在することを示す検出情報を人検出装置５から取得する。人検出装置５は、例えば人感センサなどであり、対象空間に存在する人を検出する。
【００９０】
本実施形態の機器制御部３５は、パッシブ制御を行っているときに、対象空間に人が存在する場合、パッシブ機器２としての自動窓（ここでは大窓のみが対象）および外光遮蔽機器に対して開制御を行う。一方、機器制御部３５は、対象空間に人が存在しない場合、パッシブ機器２としての自動窓および外光遮蔽機器に対して閉制御を行う。なお、実施形態１の機器制御部３５と同様の機能については説明を省略する。
【００９１】
例えば住宅内のいずれかの人検出装置５からの検出情報がある場合、機器制御部３５は、図１６に示すように、パッシブ機器２としての小窓２１、大窓２２、外光遮蔽機器２３を開制御とする。
【００９２】
外出中や就寝中など、住宅内のいずれかの人検出装置５からの検出情報がない場合、機器制御部３５は、図１７に示すように、防犯面を考慮し、パッシブ機器２としての大窓２２と外光遮蔽機器２３とを開制御とする。なお、小窓２１は、開いている状態であっても防犯面において危険ではなく、外気利用の効果も期待できるため、機器制御部３５は、小窓２１を常に開制御とする。
【００９３】
以上説明した本実施形態の制御装置３は、対象空間に人が存在する場合にパッシブ機器２としての自動窓（ここでは大窓２２のみが対象）に対して開制御を行い、対象空間に人が存在しない場合に自動窓に対して閉制御を行う。これにより、本実施形態の制御装置３では、外気利用の効果を損なうことなく、防犯面を考慮した制御を行うことができる。
【００９４】
また、本実施形態の制御装置３は、対象空間に人が存在する場合にパッシブ機器２としての自動窓（ここでは大窓２２のみが対象）および外光遮蔽機器２３に対して開制御を行う。これにより、本実施形態の制御装置３では、自動窓および外光遮蔽機器２３が閉まっていることに対する不快感を低減させることができる。
【００９５】
（実施形態６）
実施形態６に係る制御装置３は、冬期において、パッシブ機器２としての外光遮蔽機器の開閉制御を、時刻によって異ならせている点で、実施形態１に係る制御装置３と相違する。なお、実施形態１の制御装置３と同様の構成要素については、同一の符号を付して説明を省略する。
【００９６】
本実施形態の機器制御部３５は、冬期において、外光遮蔽機器に対して時間帯に応じた開閉制御を行う。なお、実施形態１の機器制御部３５と同様の機能については説明を省略する。
【００９７】
昼間は採光を取り入れ室温を上げるために、機器制御部３５は、外光遮蔽機器を開制御とする。一方、夜間は放射冷却を防止するため、機器制御部３５は、外光遮蔽機器を閉制御とする。また、機器制御部３５は、全ての部屋の外光遮蔽機器を一斉に制御するのではなく、西向きの部屋の外光遮蔽機器の閉制御を遅くし、北向きの部屋の外光遮蔽機器の閉制御を早めるなど、部屋が接する方位によって制御時刻を変える。
【００９８】
以上説明した本実施形態の制御装置３では、冬期における室温上昇効果が期待できる。これにより、外気温閾値を低く設定することができるので、エネルギー使用量をさらに低減させることができる。
【００９９】
（実施形態７）
実施形態７に係る制御装置３は、パッシブ制御時において、所定期間内に規定回数以上、ユーザが当該パッシブ制御に逆らったパッシブ機器２の動作させた場合、この動作を日常行為とみなし、この動作が行われる時間帯を非制御とする点で、実施形態１に係る制御装置３と相違する。なお、実施形態１の制御装置３と同様の構成要素については、同一の符号を付して説明を省略する。
【０１００】
本実施形態の機器制御部３５は、パッシブ制御を行っているときに、パッシブ機器２がパッシブ制御の制御内容とは異なる動作で第２の所定期間内に第２の規定回数以上行った場合、当該パッシブ機器２に対して、当該異なる動作が行われた時間帯に、当該制御内容の制御を停止する。すなわち、機器制御部３５は、当該異なる制御が行われている時間帯において、当該制御内容を実施しない。なお、実施形態１の機器制御部３５と同様の機能については説明を省略する。
【０１０１】
図１８に示すように、例えば２月１日（木）〜５日（月）の毎日、洗濯または掃除のために、ユーザが図中に示す時間帯にパッシブ機器２としての大窓を開けたとする（本来は閉制御）。所定期間内に規定回数以上、かつ、大窓を開ける時刻のずれ、および、大窓を閉める時刻のずれが、それぞれ所定時間以内である場合、この行為は日常行為とみなされる。機器制御部３５は、図１８に示すように、日々の時間帯Ｔ３１〜Ｔ３６から安全率を考慮して、日常行為が行われる時間帯Ｔ４１，Ｔ４２を決定する。時間帯Ｔ４１（７時３０分〜８時５５分）は、時間帯Ｔ３１（８時２分〜８時２０分）と時間帯Ｔ３２（８時１３分〜８時２５分）と時間帯Ｔ３３（７時５９分〜８時１５分）との中で最も早い開始時刻（７時５９分）および最も遅い終了時刻（８時２５分）の各々に安全率（約３０分）を加えて決定されている。時間帯Ｔ４２（１２時１５分〜１４時４０分）は、時間帯Ｔ３４（１３時５分〜１４時）と時間帯Ｔ３５（１３時２２分〜１４時９分）と時間帯Ｔ３６（１２時４５分〜１３時４０分）との中で最も早い開始時刻（１２時４５分）および最も遅い終了時刻（１４時９分）の各々に安全率（約３０分）を加えて決定されている。日常行為が行われる時間帯Ｔ４１，Ｔ４２においては、機器制御部３５は、対象となるパッシブ機器２（ここでは大窓）を非制御とする。
【０１０２】
以上説明した本実施形態の制御装置３は、パッシブ機器２がパッシブ制御の制御内容とは異なる動作で第２の所定期間内に第２の規定回数以上行った場合、当該パッシブ機器２に対して、当該異なる動作が行われた時間帯に、当該制御内容の制御を停止する。これにより、本実施形態の制御装置３では、対象空間内の人の行為（操作）を学習することによって、意に反した制御が行われることに対する不快感を低減させることができる。
【０１０３】
（実施形態８）
実施形態８に係る制御装置３は、パッシブ機器２に対して所定時間だけパッシブ制御とは異なる動作を許可する点で、実施形態１に係る制御装置３と相違する。なお、実施形態１の制御装置３と同様の構成要素については、同一の符号を付して説明を省略する。
【０１０４】
本実施形態の機器制御部３５は、パッシブ制御を行っているときに、パッシブ機器２がパッシブ制御の制御内容とは異なる動作を行った場合、当該異なる動作が行われてから復帰時間Ｔ５の経過後に当該制御内容の動作に復帰させる復帰制御を行う。また、機器制御部３５は、パッシブ機器２が当該異なる動作を第３の所定期間内に第３の規定回数以上行った場合、当該異なる動作が行われた時間帯を含むように復帰時間Ｔ５を設定する。なお、実施形態１の機器制御部３５と同様の機能については説明を省略する。
【０１０５】
パッシブ制御実施時において、ユーザがパッシブ制御に逆らった動作をパッシブ機器２にさせた場合、所定の復帰時間Ｔ５の経過後に、パッシブ制御に戻す。復帰時間Ｔ５がユーザに受け入れられない場合（パッシブ制御を復帰した後に再度制御に逆らった動作を所定時間内に所定回数行った場合）は、復帰時間Ｔ５を変更する。
【０１０６】
例えば、冬期のパッシブ制御中にユーザが大窓を開けたとする（本来は閉制御）。ユーザが大窓を閉め忘れた場合、機器制御部３５は、復帰時間Ｔ５の経過後に自動的に大窓を閉める（パッシブ制御に戻す）。
【０１０７】
パッシブ制御に復帰した後、所定時間以内に、再度ユーザが大窓を開けるという行為が所定期間内に所定回数発生した場合は、復帰時間Ｔ５を延長する。
【０１０８】
以上説明した本実施形態の制御装置３は、パッシブ機器２がパッシブ制御の制御内容とは異なる動作を行った場合、復帰時間の経過後に自動でパッシブ制御の動作に戻す。これにより、本実施形態の制御装置３では、省エネルギー性を大きく損なうことなく、対象空間内の人の行為（操作）を学習することができるので、意に反した制御が行われることに対する不快感を低減させることができる。
【符号の説明】
【０１０９】
１  アクティブ機器
２  パッシブ機器
３  制御装置
３２  閾値設定部
３３２  外気温取得部
３４  比較部
３５  機器制御部
３７１  第１の情報取得部（操作情報取得部）
【図１】
2014085070.tif 000003
【図２】
2014085070.tif 000004
【図３】
2014085070.tif 000005
【図４】
2014085070.tif 000006
【図５】
2014085070.tif 000007
【図６】
2014085070.tif 000008
【図７】
2014085070.tif 000009
【図８】
2014085070.tif 000010
【図９】
2014085070.tif 000011
【図１０】
2014085070.tif 000012
【図１１】
2014085070.tif 000013
【図１２】
2014085070.tif 000014
【図１３】
2014085070.tif 000015
【図１４】
2014085070.tif 000016
【図１５】
2014085070.tif 000017
【図１６】
2014085070.tif 000018
【図１７】
2014085070.tif 000019
【図１８】
2014085070.tif 000020